(57)【要約】【課題】ハウジング２１、２１´の末端ＤＥ側のストレート部２２ＳＴで、コア部材１１の円周リブ１２ＣＲの上部を確実に押さえつけて固定することができるメスコネクタ１を提供すること。【解決手段】メスコネクタ１は、コア部材１１とハウジング２１、２１´とを有する。コア部材１１の本体１２は、末端ＤＥ側に円周リブ１２ＣＲを形成し、円周リブ１２ＣＲの末端ＤＥ側に末端側フランジ１２ＦＤＥを形成している。ハウジング２１、２１´は、基端部２２ＰＥ、２２ＰＥ´と末端部２２ＤＥ、２２ＤＥ´とを有する。基端部２２ＰＥ、２２ＰＥ´は、外周に突部２２Ｔと溝部２２Ｍを形成している。末端部２２ＤＥ、２２ＤＥ´は、外周にねじ部２２ＳＷを形成している。ねじ部２２ＳＷは、内周にストレート部２２ＳＴを形成し、末端ＤＥ側の内周のみ短いテーパー２２ＴＰを形成している。【選択図】図４
2014180294.tif 000002
【特許請求の範囲】
【請求項１】
コア部材（１１）とハウジング（２１、２１´）とを有し、
前記コア部材（１１）は本体（１２）を有し、
当該本体（１２）は基端ＰＥ側から末端ＤＥ側に上るテーパー状に形成し、
前記本体（１２）は、末端ＤＥ側に円周リブ（１２ＣＲ）を形成し、
当該円周リブ（１２ＣＲ）のさらに末端ＤＥ側に末端側フランジ（１２ＦＤＥ）を形成し、
前記本体（１２）は、基端ＰＥ側にチューブの接続部（１３）を形成し、
前記ハウジング（２１、２１´）は、基端部（２２ＰＥ、２２ＰＥ´）と末端部（２２ＤＥ、２２ＤＥ´）とを有し、
前記基端部（２２ＰＥ、２２ＰＥ´）は、外周に突部（２２Ｔ）と溝部（２２Ｍ）を形成し、
前記末端部（２２ＤＥ、２２ＤＥ´）は、外周にねじ部（２２ＳＷ）を形成し、
当該ねじ部（２２ＳＷ）は、内周にストレート部（２２ＳＴ）を形成し、かつ末端ＤＥ側の内周のみ短いテーパー（２２ＴＰ）を形成し、
前記円周リブ（１２ＣＲ）の長さ（１２ＣＲＬ）：１００に対して、
前記末端側ねじ部（２２ＳＷＤＥＬ）の長さ（２２ＳＷＤＥＬ）：８０〜１２０に形成し、
前記末端側ねじ部（２２ＳＷＤＥＬ）の長さ（２２ＳＷＤＥＬ）：１００に対して、前記テーパー（２２ＴＰ）の長さ（２２ＴＰＬ）：４０〜７０に形成した、
ことを特徴とするメスコネクタ（１）。
【請求項２】
ハウジング（２１、２１´）の基端部（２２ＰＥ、２２ＰＥ´）は、長手Ｌ方向の外周に沿って、かつ長手Ｌ方向に複数の突部（２２Ｔ）を形成し、当該各突部（２２Ｔ）の間で、かつ長手Ｌ方向に溝部（２２Ｍ）を形成した、ことを特徴とするメスコネクタ（１）。
【請求項３】
ハウジング（２１´）は、末端部（２２ＤＥ´）の長手Ｌ方向の長さ：１００に対して、基端部（２２ＰＥ´）の長手Ｌ方向の長さは：１７０〜２２０に形成した、ことを特徴とする請求項１または請求項２に記載のメスコネクタ（１）。
【請求項４】
コア部材（１１）の外周とハウジング（２１、２１´）の内周との間にスペース（ＳＰ）があり、
当該スペース（ＳＰ）は末端ＤＥ側から基端ＰＥ側に向けて次第に広くなっており、
液体移送チューブ（Ｔ）の接続部（１３）は、ハウジング（２１、２１´）の外に形成した、ことを特徴とする請求項１から請求項３のいずれか１項に記載のメスコネクタ（１）。
【請求項５】
請求項１から請求項４のいずれか１項に記載のメスコネクタ（１）と、オス部材（３１）から成り、
前記オス部材（３１）は、管状の本体（３２）を有し、
当該本体（３２）の内側に内管（３２Ｉ）を配置し、
当該内管（３２Ｉ）は、基端ＰＥ側から末端ＤＥ側に上るテーパー（３２ＴＰ）を形成し、
前記本体（３２）の内周にねじ部（３２ＳＷ）を形成した、ことを特徴とする接続器具。
【発明の詳細な説明】
【技術分野】
【０００１】
本発明は、本発明は血液回路の各種チューブや、輸液、輸血用チューブ、各種カテーテルチューブ、その他医療用流体誘導チューブの端部に設けられているメスコネクタに関するもので、使用時の操作性や性能を向上させることのできるメスコネクタである。さらにメスコネクタとオスコネクタからなる接続器具である。
【背景技術】
【０００２】
出願人は、特許文献１（特開平１１−３１３８９６号公報）に、使用時に流体誘導チューブがねじれず、液漏れやエアー漏れのないメスコネクタの発明を開示した。
メスコネクタはコア部材（１）とコア部材（１）の外周に装着されたハウジング（２）から構成される。コア部材（１）は内面にルアテーパー（４）を形成するとともに外面に凸部（５、５Ａ）を形成している。ハウジング（２）は外面にネジ山（７）を形成するとともに内面に前記凸部（５、５Ａ）と対応する凹部（８、８Ａ）を形成している。ハウジング（２）の内面にコア部材（１）を接着固定することなく挿入している。
【０００３】
また特許文献２（特開２００５−１９２７８２号公報）は、締め付け時の流体誘導チューブのねじれを回避でき、かつ、接続後にハウジングに不意にネジをゆるめる負荷がかかってもオスルアーとメスルアーとの嵌合は容易にはずれることがないメスコネクタの発明が開示されている。
【０００４】
特許文献２は、先端内面にルアーテーパーおよび基端内面にチューブ接着部を形成するとともに、最先端部にフランジを形成した円筒状コア部材と、外面にオスネジを形成し、コア部材の外周に固定されることなく装着された円筒状ハウジングと、コア部材のフランジから離れた所定位置に固定されたストッパーから構成されたメスコネクタであって、オスコネクタと嵌合した状態で、フランジとストッパーとの距離（Ｌ１）が、ハウジングの筒部全長（Ｌ２）よりも大きいメスコネクタの発明を開示している。
【先行技術文献】
【特許文献】
【０００５】
【特許文献１】特開平１１−３１３８９６号公報（図１〜図６）
【特許文献２】特開２００５−１９２７８２号公報（図１〜図５）
【発明の概要】
【発明が解決しようとする課題】
【０００６】
特許文献１は、突部５Ａ（円周リブともいう）が変形する場合があり、ハウジングの内部に均一の形態でおさまらず、外しトルクがあがらないという課題があった。
特許文献２は、ストッパーによりオスルアーとメスルアーとの嵌合が容易にはずれることはないが、ストッパー近傍のチューブの自由度が制限され、拘束されがちである。このためチューブがキンクしやすい等の課題が懸念される。
という課題があった。
【課題を解決するための手段】
【０００７】
そこで本発明者は、以上の課題を解決するために鋭意検討を重ねた結果、次の発明に到達した。本発明にしたがえば、以下のメスコネクタ１が提供される。
［１］本発明は、コア部材（１１）とハウジング（２１、２１´）とを有し、
前記コア部材（１１）は本体（１２）を有し、
当該本体（１２）は基端ＰＥ側から末端ＤＥ側に上るテーパー状に形成し、
前記本体（１２）は、末端ＤＥ側に円周リブ（１２ＣＲ）を形成し、
当該円周リブ（１２ＣＲ）のさらに末端ＤＥ側に末端側フランジ（１２ＦＤＥ）を形成し、
前記本体（１２）は、基端ＰＥ側にチューブの接続部（１３）を形成し、
前記ハウジング（２１、２１´）は、基端部（２２ＰＥ、２２ＰＥ´）と末端部（２２ＤＥ、２２ＤＥ´）とを有し、
前記基端部（２２ＰＥ、２２ＰＥ´）は、外周に突部（２２Ｔ）と溝部（２２Ｍ）を形成し、
前記末端部（２２ＤＥ、２２ＤＥ´）は、外周にねじ部（２２ＳＷ）を形成し、
当該ねじ部（２２ＳＷ）は、内周にストレート部（２２ＳＴ）を形成し、かつ末端ＤＥ側の内周のみ短いテーパー（２２ＴＰ）を形成し、
前記円周リブ（１２ＣＲ）の長さ（１２ＣＲＬ）：１００に対して、
前記末端側ねじ部（２２ＳＷＤＥＬ）の長さ（２２ＳＷＤＥＬ）：８０〜１２０に形成し、
前記末端側ねじ部（２２ＳＷＤＥＬ）の長さ（２２ＳＷＤＥＬ）：１００に対して、前記テーパー（２２ＴＰ）の長さ（２２ＴＰＬ）：４０〜７０に形成した、
メスコネクタ（１）を提供する。
【０００８】
［２］本発明は、ハウジング（２１、２１´）の基端部（２２ＰＥ、２２ＰＥ´）は、長手Ｌ方向の外周に沿って、かつ長手Ｌ方向に複数の突部（２２Ｔ）を形成し、当該各突部（２２Ｔ）の間で、かつ長手Ｌ方向に溝部（２２Ｍ）を形成した、［１］に記載のメスコネクタ（１）を提供する。
［３］本発明は、ハウジング（２１´）は、末端部（２２ＤＥ´）の長手Ｌ方向の長さ：１００に対して、基端部（２２ＰＥ´）の長手Ｌ方向の長さは：１７０〜２２０に形成した、［１］または［２］に記載のメスコネクタ（１）を提供する。
［４］本発明は、コア部材（１１）の外周とハウジング（２１、２１´）の内周との間にスペース（ＳＰ）があり、
当該スペース（ＳＰ）は末端ＤＥ側から基端ＰＥ側に向けて次第に広くなっており、
液体移送チューブ（Ｔ）の接続部（１３）は、ハウジング（２１、２１´）の外に形成した、［１］から［３］のいずれか１に記載のメスコネクタ（１）
［５］本発明は、［１］から［４］のいずれか１に記載のメスコネクタ（１）と、オス部材（３１）から成り、
前記オス部材（３１）は、管状の本体（３２）を有し、
当該本体（３２）の内側に内管（３２Ｉ）を配置し、
当該内管（３２Ｉ）は、基端ＰＥ側から末端ＤＥ側に上るテーパー（３２ＴＰ）を形成し、
前記本体（３２）の内周にねじ部（３２ＳＷ）を形成した、接続器具を提供する。
【発明の効果】
【０００９】
本発明のメスコネクタは、以下の有利な効果を有する。
（１）ハウジング２１、２１´の末端ＤＥ側のストレート部２２ＳＴで、コア部材１１の円周リブ１２ＣＲの上部を確実に押さえつけて固定することができる。
（２）ハウジング２１、２１´は、オスコネクタ３１に接続しているときは、側部（円周）方向に回転して固定が外れることがない。
（３）ハウジング２１、２１´は、基端部２２ＰＥ、２２ＰＥ´外周に複数の突起２２Ｔと溝部２２Ｍを形成し、作業者が持ちやすい形態［ハウジング２１´は末端部２２ＤＥ´の長手Ｌ方向の長さ：１００に対して、基端部２２ＰＥ´の長手Ｌ方向の長さは：１７０〜２２０）に形成しているので、オスコネクタ３１に締め込むときやオスコネクタ３１から外すときの力（トルク）をかけやすくなり、オスコネクタ３１への接続や取り外しが容易となる。
【図面の簡単な説明】
【００１０】
【図１】図１は本発明のメスコネクタ１のコア部材１１の概略図。（Ａ）は、基端ＰＥ方向、かつ第２側部Ｓ２方向から見た斜視図。（Ｂ）は、第２側部Ｓ２方向から見た側面図。（Ｃ）は、（Ｂ）の長手方向の縦断面図。（Ｄ）は、末端ＤＥ方向から見た側面図。（Ｅ）は、基端ＰＥ方向から見た側面図。
【図２】図２は本発明のメスコネクタ１のハウジング２１の概略図。（Ａ）は、基端ＰＥ方向、かつ第２側部Ｓ２方向から見た斜視図。（Ｂ）は、第２側部Ｓ２方向から見た側面図。（Ｃ）は、（Ｂ）の長手方向の縦断面図、かつ（Ｅ）のＡ−Ａ線断面。（Ｄ）は、（Ｂ）の長手方向の縦断面図、かつ（Ｅ）のＢ−Ｂ線断面。（Ｅ）は、末端ＤＥ方向から見た側面図。（Ｆ）は、基端ＰＥ方向から見た側面図。（Ｇ）は、（Ｃ）の一部拡大図。
【図３】図３は図１のコア部材１１と、ハウジング２１の末端ＤＥ部の拡大図である。
【図４】図４は図１のコア部材１１と、ハウジング２１を装着したところの概略図。（Ａ）は、長手方向の縦断面図。（Ｂ）は、（Ａ）の一部拡大図。（Ｃ）は、（Ｂ）の一部拡大図。
【図５】図５は本発明のメスコネクタ１のその他の実施例のハウジング２１´の概略図。（Ａ）は、基端ＰＥ方向、かつ第２側部Ｓ２方向から見た斜視図。（Ｂ）は、第２側部Ｓ２方向から見た側面図。（Ｃ）は、（Ｂ）の長手方向の縦断面図、かつ（Ｅ）のＡ−Ａ線断面。（Ｄ）は、（Ｂ）の長手方向の縦断面図、かつ（Ｅ）のＢ−Ｂ線断面。（Ｅ）は、末端ＤＥ方向から見た側面図。（Ｆ）は、基端ＰＥ方向から見た側面図。（Ｇ）は、（Ｃ）の一部拡大図。
【図６】図６はハウジング２１とその他の実施例のハウジング２１´を示す概略図。（Ａ）は、ハウジング２１´の第２側部Ｓ２方向から見た側面図。（Ｂ）は、（Ａ）の長手方向の縦断面図。（Ｃ）は、ハウジング２１の第２側部Ｓ２方向から見た側面図。（Ｄ）は、（Ｃ）の長手方向の縦断面図。
【図７】図７はメスコネクタ１とオスコネクタ３１を接続する直前の概略図。（Ａ）は、（Ｃ）のＡ−Ａ線断面図。（Ｂ）は、第２側部Ｓ２方向から見た側面図。（Ｃ）は、基端ＰＥ方向から見た側面図。
【図８】図８はメスコネクタ１とオスコネクタ３１を接続したところの概略図。（Ａ）は、（Ｃ）のＢ−Ｂ線断面図。（Ｂ）は、第２側部Ｓ２方向から見た側面図。（Ｃ）は、基端ＰＥ方向から見た側面図。
【発明を実施するための形態】
【００１１】
本発明のメスコネクタの理解を容易にするため、以下の定義をおく。
本発明の請求項、発明の説明に付した符号は、本発明のメスコネクタの理解を容易にするために記載したものであり、符号そのものが発明を特定するものではない。
本発明のメスコネクタ１を構成するコア部材１１（インナー部材ともいう）、ハウジング２１（アウター部材ともいう）、その他の管状（またはチューブ状、筒状という場合もある）の部材ないし当該管状の部材の形態を一部でも含む各構成部品は、長手Ｌ方向と、当該長手Ｌ方向に略垂直に交差する側部Ｓ方向（「長手」に対して「短い」方向を意味する）を有する。
【００１２】
本発明で、「末端ＤＥ（側または方向）」とは、長手Ｌ方向の一方向を示し、図１に示すように、末端側フランジ１２ＦＤＥ側の端部を意味する。
本発明で、「基端ＰＥ（側または方向）」とは、長手Ｌ方向の一方向を示し、図１に示すように、「末端ＤＥ（側または方向）」とは反対側の端部、すなわち基端側フランジ１３ＦＰＥ側の端部を意味する。
【００１３】
本発明で、「第１側部Ｓ１（側または方向）」とは、側部Ｓ方向の一方向を示し、図１に示すように、背面側の方向（図の破線矢印参照）を意味する。
本発明で、「第２側部Ｓ２（側または方向）」とは、側部Ｓ方向の一方向を示し、図１に示すように、背面側の方向とは反対の方向、すなわち正面側の方向（図の破線矢印参照）を意味する。
【００１４】
本発明で、「第３側部Ｓ３（側または方向）」とは、側部Ｓ方向の一方向を示し、例えば図１では、上側の方向を意味する。
本発明で、「第４側部Ｓ４（側または方向）とは、側部Ｓ方向の一方向を示し、図１では、下側の方向を意味する。
本発明で、単に「側部方向」とは、いわゆる「円周方向」を意味する
【００１５】
本発明の説明で、「任意の部材（部品）」を「有する」とは、すくなくともその「任意の部材（部品）」を「持つ」、「含む」等と実質的に同じ意味である。
本発明の説明で、「任意の部材（部品）」の一端部に「他の部材（部品）」を「形成」しているとは、「接続」、「連結」、「延設」、「配置」等と実質的に同じ意味である。
【００１６】
［メスコネクタ１］
本発明のメスコネクタ１は、図１〜図４に例示するように、コア部材１１とハウジング２１とを有する。
［コア部材１１］
コア部材１１は、図１、図４に例示するように、本体１２を有する。
本体１２は、いわゆる「略管状」に形成している。
本体１２は、内周と外周の双方とも基端ＰＥ側から末端ＤＥ側に上るテーパー１２ＴＰに形成している。
テーパー１２ＴＰは、本体１２の略中央部の境界部１２ＢＤで、末端側テーパー１２ＴＰＤＥと基端側テーパー１２ＴＰＰＥとに区分される。
末端側テーパー１２ＴＰＤＥの内周と外周とは、同じ勾配に形成しても良いし、異なる勾配に形成しても良い。
【００１７】
本体１２は、末端ＤＥ側に円周リブ１２ＣＲを形成している。円周リブ１２ＣＲのさらに末端ＤＥ側に末端側フランジ１２ＦＤＥを形成している。
本体１２は、基端ＰＥ側に、液体移送チューブの接続部１３を形成している。接続部１３は、いわゆる「略円筒状」に形成している。接続部１３のさらに基端ＰＥ側に、基端側フランジ１３ＦＰＥを形成している。
基端側フランジ１３ＦＰＥの外周は末端ＤＥ側から基端ＰＥ側へ下るテーパー１３ＦＰＥＴＰに形成している。当該テーパー１３ＦＰＥＴＰは、後述するハウジング２１を基端側ＰＥから末端ＤＥ側へ被せて挿入するときに、ハウジング２１（基端部２２ＰＥ）のテーパー２２ＰＥＴＰと接触し、誘いとなる。
コア部材１１は、いわゆる「軟質または半硬質材料」により形成している。これらの軟質または半硬質材料とは、例えばポリ塩化ビニル、ポリウレタン等が挙げられる。
【００１８】
［ハウジング２１］
ハウジング２１は、基端部２２ＰＥと末端部２２ＤＥとを有する。基端部２２ＰＥと末端部２２ＤＥは、両方ともいわゆる「略円筒状」に形成している。
基端部２２ＰＥと末端部２２ＤＥとは、段部２２ＤＳで区分される。
段部２２ＤＳは、基端部２２ＰＥの末端ＤＥ側壁である。
【００１９】
基端部２２ＰＥは、長手Ｌ方向の外周に沿って、かつ長手Ｌ方向一杯に複数の突部２２Ｔを形成している。各突部２２Ｔの間で、かつ長手Ｌ方向一杯に溝部２２Ｍを形成している。基端部２２ＰＥは、基端ＰＥ側内周に基端ＰＥ側から末端ＤＥ側に上るテーパー２２ＰＥＴＰを形成している。
末端部２２ＤＥは、ねじ部２２ＳＷを有する。
ねじ部２２ＳＷは、内周をいわゆる「ストレート部２２ＳＴ」に形成し、末端ＤＥ側の内周のみいわゆる「短いテーパー２２ＴＰ」を形成している。
ハウジング２１は、いわゆる「硬質材料」により形成している。硬質材料として、例えばポリプロピレン、ポリカーボネート等が挙げられる。
【００２０】
［コア部材１１とハウジング２１の組立］
（１）ハウジング２１は、末端ＤＥ側から、コア部材１１の基端ＰＥ側から末端ＤＥ側に向けていわゆる「略同心円上」に挿入する。
（２）ハウジング２１は、末端ＤＥ側に推し進めることにより、コア部材１１のテーパー１２ＴＰに沿って進み、末端部２２ＤＥの末端ＤＥが、円周リブ１２ＣＲに衝突する。
（３）さらに末端ＤＥ側に推し進めることにより、ハウジング２１の末端ＤＥのテーパー２２ＴＰが、円周リブ１２ＣＲを乗り越え、末端部２２ＤＥの末端ＤＥは、末端側フランジ１２ＦＤＥの基端ＰＥ側壁面に衝突する。
（４）さらにストレート部２２ＳＴが、側部（円周）方向から円周リブ１２ＣＲの上部（ストレート部）を押さえつける。これにより、ハウジング２１の末端ＤＥ側とコア部材１１の末端ＤＥ側は、いわゆる「ロック感」をもって固定することができる。
【００２１】
［各部材の長さ］
図３に示すように長手方向Ｌに見て：
・ねじ部２２ＳＷの長さを（２２ＳＷＬ）、
・末端側ねじ部２２ＳＷＤＥの長さを（２２ＳＷＤＥＬ）、
・ストレート部２２ＳＴの長さを（２２ＳＴＬ）、
・末端側ねじ部２２ＳＷＤＥのストレート部２２ＳＴＤＥの長さを（２２ＳＴＤＥＬ）、
・末端側ねじ部２２ＳＷＤＥのテーパー２２ＴＰの長さを（２２ＴＰＬ）、
・円周リブ１２ＣＲの長さを（１２ＣＲＬ）の各符号で表す。
【００２２】
・ねじ部２２ＳＷの長さ（２２ＳＷＬ）とは、図３に示すように、ねじ部２２ＳＷの形成開始位置ＳＷＩからからねじ部２２ＳＷの形成終了位置ＳＷＴまでの長さを意味する。
・末端側ねじ部２２ＳＷＤＥの長さ（２２ＳＷＤＥＬ）とは、末端側ねじ部２２ＳＷＤＥの形成開始位置ＳＷＤＥＩから末端側ねじ部２２ＳＷＤＥの形成終了位置ＳＷＤＥＴまでの長さを意味する。ＳＷＤＥＴは、ＳＷＴと同じ位置である。
・ストレート部２２ＳＴの長さ（２２ＳＴＬ）とは、前記ＳＷＩから（後記する）テーパー形成開始位置ＴＰＩまでの長さを意味する。
・末端側ストレート部２２ＳＴＤＥの長さ（２２ＳＴＤＥＬ）とは、前記ＳＷＤＥＩから前記ＴＰＩまでの長さを意味する。
・テーパー２２ＴＰの長さ（２２ＴＰＬ）とは、テーパー開始位置ＴＰＩからテーパー終了位置ＴＰＥまでの長さを意味する。
・円周リブ１２ＣＲの長さ（１２ＣＲＬ）とは、円周リブ１２ＣＲの形成開始位置ＣＲＩから形成終了位置ＣＲＥまでの長さを意味する。
【００２３】
図１と図２に示すように、
・末端側ねじ部２２ＳＷＤＥの内径を（２２ＳＷＩＤ）、
・円周リブ１２ＣＲの外径を（１２ＣＲＯＤ）の各符号で表す。
・末端側ねじ部２２ＳＷＤＥの内径（２２ＳＷＩＤ）：１００に対して、円周リブ１２ＣＲの外径（１２ＣＲＯＤ）：１００〜１０５に形成する。
１２ＣＲＯＤがあまり小さい（１００未満）と、ハウジング２１の固定が緩くなる。１２ＣＲＯＤがあまり大きい（１０５を超える）と、ハウジング２１に固定しずらくなる。
【００２４】
［コア部材１１とハウジング２１の長さの関係］
１２ＣＲＬ：１００に対して、２２ＳＷＤＥＬは８０〜１２０、９０〜１１０、９５〜１０５、１００に形成する。
２２ＳＷＤＥＬは、あまり短い（８０未満）と、前記組立（３）のときに、ロック感がなくなる。
あまり長い（１２０を超える）と、前記組立（２）のときに、円周リブ１２ＣＲを乗り越えることが困難となる。
【００２５】
２２ＳＷＤＥＬ：１００に対して、２２ＴＰＬは４０〜７０、５０〜６５、６０、
２２ＳＴＤＥＬは、７０〜３０、５５〜５０、４０に形成する。
２２ＴＰＬはあまり小さい（４０未満）と、前記組立（２）のときに、円周リブ１２ＣＲを乗り越えることが困難となる。
あまり大きい（７０を超える）と、前記組立（３）のときに、ロック感がなくなる。
【００２６】
［その他のハウジング２１´］
図５及び図６（Ａ）、（Ｂ）のハウジング２１´は、ハウジング２１［図６（Ｃ）、（Ｄ）］のその他の実施例である。
ハウジング２１［図６（Ｃ）、（Ｄ）］は、末端部２２ＤＥの長手Ｌ方向の長さ：１００に対して、基端部２２ＰＥの長手Ｌ方向の長さは：１００〜１２０に形成している。
テーパー２２ＰＥＴＰは、基端ＰＥ側から末端ＤＥ側に下るように形成している。
末端部２２ＤＥ側のアールＲは、０．３と小さめに形成しているので、使用者によっては、角に親指と人差し指の第一関節付近が当って痛いとう指摘もあった。
【００２７】
ハウジング２１´は、ハウジング２１´の基端部２２ＰＥ´を、さらに基端ＰＥ側に長さＰＥＬだけ延設している。
テーパー２２ＰＥＴＰ´は、末端ＤＥ側から基端ＰＥ側に緩やかにのぼるように形成している。
ハウジング２１´は、基端ＰＥ側のアールＲは、１．０と大きめに形成し、縁取りを大きくしている。
ハウジング２１´は、末端部２２ＤＥ´の長手Ｌ方向の長さ：１００に対して、基端部２２ＰＥ´の長手Ｌ方向の長さは：１７０〜２２０に形成している。
ハウジング２１´は、前記以外の形状・構造は、ハウジング２１［図６（Ｃ）、（Ｄ）］と実質的に同じである。
【００２８】
ハウジング２１´を外部に嵌挿する側のコア部材１１は、ハウジング２１´の基端部２２ＰＥ´の長手Ｌ方向の長さにあわせて、基端側テーパー１２ＴＴＰＥの長手Ｌ方向の長さを長く形成することができる。これにより図４の場合と同様に、基端側テーパー１２ＴＴＰＥの外周と基端側ハウジング２２ＰＥ´内周との間に、十分な空間ＳＰを形成することができる。さらにチューブの接続部１３も基端側ハウジング２２ＰＥ´の外部に配置することができる。
ハウジング２１´は、使用者（医師、看護師等）が持ちやすくなり、コア部材１１、オスコネクタ３１に接続するときや、外すときの力（トルク）をかけやすくなる。
【００２９】
［接続器具：メスコネクタ１とオスコネクタ３１の接続］
本発明の接続器具の一例について説明する。接続器具は、メスコネクタ１とオスコネクタ３１とからなる。
オスコネクタを含む医療用具３０として体液処理装置３０の例について図示する。
オスコネクタ３１は、医療用具（体液処理装置）３０のいわゆる「ポート」の略中央に突設している。
オスコネクタ３１は、いわゆる「管状」の本体３２を有する。
本体３２の内側に内管３２Ｉを配置している。
内管３２Ｉは、基端ＰＥ側から末端ＤＥ側に上るテーパー３２ＴＰに形成している。
換言すれば、基端ＰＥ側から末端ＤＥ側に向けて径が大きくなっている。
本体３２の内周にねじ部３２ＳＷを形成している。
【００３０】
メスコネクタ１をオスコネクタ３１に接続するに際しては、
（１）ハウジング２１のねじ部２２ＳＷ（ねじ山またはねじ溝）とオスコネクタ３１のねじ部３２ＳＷ（ねじ溝またはねじ山）を位置合わせして回転させる。ねじ部２２ＳＷはねじ部３２ＳＷに沿って締め付けられる。
（２）さらにこの時、コア部材１１の末端側フランジ１２ＦＤＥは、ハウジング２１の末端ＤＥによってオスコネクタ３１の基端ＰＥ側から末端ＤＥ側に向けて押し込まれる。
コア部材１１の末端側テーパー１２ＴＰＤＥがオスコネクタ３１の内管３２Ｉのテーパー３２ＴＰに接触し、回転することなく末端ＤＥ方向にスライドしながら挿入される。
【００３１】
（３）さらにいえば、ハウジング２１は、末端ＤＥ側に推し進めることにより、コア部材１１のテーパー１２ＴＰに沿って進み、末端部２２ＤＥの末端ＤＥが、円周リブ１２ＣＲに衝突する。
（４）さらに末端ＤＥ側に推し進めることにより、ハウジング２１の末端ＤＥのテーパー２２ＴＰが、円周リブ１２ＣＲを乗り越え、末端部２２ＤＥの末端ＤＥは、末端側フランジ１２ＦＤＥの基端ＰＥ側壁面に衝突する。
【００３２】
（５）さらにストレート部２２ＳＴが、円周リブ１２ＣＲの上部（ストレート部）を側部（円周）方向から押さえつける。これにより、ハウジング２１の末端ＤＥ側とコア部材１１の末端ＤＥ側は、いわゆる「ロック感」をもって固定することができる。
（６）さらにコア部材１１は軟質または半硬質材料であるため末端側テーパー１２ＴＰＤＥは側部（円周）方向からオスコネクタ３１のテーパー３２ＴＰに圧着され、メスコネクタ１とオスコネクタ３１は液密着状態で接続される。
【００３３】
（７）他方オスコネクタ３１からメスコネクタ１を取りはずすに際してはハウジング２１を接続時と逆方向に回転させれば良い。逆方向の回転によりねじ部２２ＳＷ（例えばねじ山）がオスコネクタ３１のねじ部３２ＳＷ（例えばねじ溝）１１に沿って緩められる。
コア部材１１の末端側フランジ１２ＦＤＥは、ハウジング２１の１２ＣＲよりオスコネクタ３１から引き出される。
【００３４】
本発明のメスコネクタ１は、ハウジング２１の末端ＤＥ側のストレート部２２ＳＴで、コア部材１１の円周リブ１２ＣＲの上部を確実に押さえつけて固定することができる。
オスコネクタ３１に接続したときは、さらに側部（円周）方向からオスコネクタ３１の外圧を受ける。
これによりハウジング２１は、オスコネクタ３１に接続しているときは、側部（円周）方向に回転して固定が外れることがない。またオスコネクタ３１から外すときは、力（トルク）をかけやすく外しやすくなる。
【００３５】
また本発明のメスコネクタ１は、コア部材１１の外周とハウジング２１、２１´の内周との間にスペースＳＰがある。
スペースＳＰは末端ＤＥ側から基端ＰＥ側に向けて次第に広くなっている。
また液体移送チューブ２１の接続部１３は、ハウジング２１、２１´の外に形成されている。
これにより液体移送チューブ２１は、ハウジング２１、２１´の基端ＰＥ側での運動の自由度が確保され、特許文献２のようにハウジング２１、２１´の基端ＰＥ側にストッパーを設けた発明と比較して操作性が良い。
【符号の説明】
【００３６】
１  メスコネクタ
１１  コア部材（インナー部材）
１２  本体
１２ＴＰ  テーパー
１２ＢＤ  境界部
１２ＴＰＰＥ  基端側テーパー
１２ＴＰＤＥ  末端側テーパー
１２ＣＲ  円周リブ
１２ＦＤＥ  末端側フランジ
１３  （チューブの）接続部
１３ＦＰＥ  基端側フランジ
１３ＦＰＥＴＰ  テーパー
２１、２１´  ハウジング（アウター部材）
２２ＰＥ  基端部
２２ＰＥＴＰ  テーパー
２２ＤＥ  末端部
２２ＤＳ  段部
２２Ｔ  突部
２２Ｍ  溝部
２２ＳＷ  ねじ部
２２ＴＰ  テーパー
２２ＳＴ  ストレート部
３０      医療用具（体液処理装置）
３１      オスコネクタ
３２      本体
３２Ｉ    内管
３２ＴＰ  テーパー
３２ＳＷ  ねじ部
【図６】
2014180294.tif 000003
【図１】
2014180294.tif 000004
【図２】
2014180294.tif 000005
【図３】
2014180294.tif 000006
【図４】
2014180294.tif 000007
【図５】
2014180294.tif 000008
【図７】
2014180294.tif 000009
【図８】
2014180294.tif 000010